(57)【要約】【課題】  パチンコ玉等の遊技媒体を収容して積み重ねられた遊技媒体収容箱が転倒した場合でも、中のパチンコ玉等が散乱しないようにする。【解決手段】  遊技媒体を収容する遊技媒体収容箱１であって、  上面に開口２を有する箱本体３の側面又は下面に、遊技媒体収容箱１を積み重ねたときに下位に位置する遊技媒体収容箱１の開口２を覆う蓋部４を有し、  遊技媒体収容箱１を積み重ねた状態の上位の箱本体３と下位の箱本体３とを一体的に結合するための結合装置６を、上位の箱本体３の蓋部４と下位の箱本体３の縁部５とに設けてなる。【選択図】  図１
2006034490.tif 000002
【特許請求の範囲】
【請求項１】
遊技媒体を収容する遊技媒体収容箱であって、
上面に開口を有する箱本体の側面又は下面に、遊技媒体収容箱を積み重ねたときに下位に位置する遊技媒体収容箱の開口を覆う蓋部を有し、
遊技媒体収容箱を積み重ねた状態の上位の箱本体と下位の箱本体とを一体的に結合するための結合手段を備えたことを特徴とする遊技媒体収容箱。
【請求項２】
請求項１に記載の遊技媒体収容箱において、
前記結合手段は、上位の遊技媒体収容箱に設けられる係合部に係合可能な係合受部と、下位の遊技媒体収容箱に設けられる係合受部に係合可能な係合部とからなること、又は、上位の遊技媒体収容箱に設けられる係合受部に係合可能な係合部と、下位の遊技媒体収容箱に設けられる係合部に係合可能な係合受部とからなることを特徴とする遊技媒体収容箱。
【請求項３】
請求項２に記載の遊技媒体収容箱において、
前記係合部は、外力により弾性変形する弾性片を有し、
前記係合受部は、外力により弾性変形された弾性片が挿入可能で、挿入されかつ外力の解放により復元した前記弾性片の離脱を阻止する穴部であり、
上位又は下位の遊技媒体収容箱の係合受部である穴部に、前記係合部の弾性片を弾性変形させて挿入し、外力を解放することにより、前記上位又は下位の遊技媒体収容箱の係合受部と前記係合部とを一体的に結合することを特徴とする遊技媒体収容箱。
【請求項４】
請求項１乃至３のいずれかに記載の遊技媒体収容箱において、
前記蓋部は、前記箱本体の側面又は下面に、側方に張り出して設けられていることを特徴とする遊技媒体収容箱。
【請求項５】
請求項４に記載の遊技媒体収容箱において、
前記蓋部に、前記結合手段の係合部又は係合受部が設けられていることを特徴とする遊技媒体収容箱。
【請求項６】
請求項５に記載の遊技媒体収容箱において、
前記蓋部の下面側に前記係合部が突設されていることを特徴とする遊技媒体収容箱。
【請求項７】
請求項１乃至６のいずれかに記載の遊技媒体収容箱おいて、
前記結合手段は、前記箱本体と一体成形されていることを特徴とする遊技媒体収容箱。
【請求項８】
請求項２に記載の遊技媒体収容箱において、
前記係合部は、前記箱本体の上部又は下部に設けられ、遊技媒体収容箱の積み重ね方向に延びる軸部と、この軸部の先端に設けられ、前記軸部に対し又は前記軸部と共に前記軸部の延びる方向に平行な軸回りに回転可能で、かつ前記軸部の径より大きいロック係合部分を有するロック部とからなり、
前記係合受部は、上位又は下位の遊技媒体収容箱における係合部の軸部とロック部が挿入される貫通穴であり、
遊技媒体収容箱を積み重ねたときに、前記貫通穴に、前記上位又は下位又の遊技媒体収容箱の係合部の軸部及びロック部が通された第１の位置からこの第１の位置以外の第２の位置に前記ロック部が回転されることにより前記ロック部が前記貫通穴の縁部に係合することを特徴とする遊技媒体収容箱。
【請求項９】
請求項２に記載の遊技媒体収容箱であって、
箱本体の外側面下部に、側方に弾力的に突出する係合部を設ける一方、
箱本体の内側面上部に、遊技媒体収容箱を積み重ねて下位になったときに、上位の遊技媒体収容箱の箱本体に設けられた係合部と係合する係合受部を設けたことを特徴とする遊技媒体収容箱。
【請求項１０】
請求項２乃至９のいずれかに記載の遊技媒体収容箱において、
前記係合部又は前記係合受部は、遊技場の床に設けられている床側固定手段と係合することにより前記遊技場の床と結合可能であることを特徴とする遊技媒体収容箱。
【請求項１１】
請求項２乃至９のいずれかに記載の遊技媒体収容箱において、
前記係合部又は前記係合受部は、遊技媒体収容箱を運搬する台車に設けられた台車側固定手段と係合することにより前記台車と結合可能であることを特徴とする遊技媒体収容箱。
【発明の詳細な説明】
【技術分野】
【０００１】
本発明は、遊技施設において、パチンコ玉やメダル等の遊技媒体の収納に用いられる遊技媒体収容箱に関する。
【背景技術】
【０００２】
パチンコ店等の遊技施設において、例えばパチンコ機で遊技者が大当り等で多数の出玉を得たときには、パチンコ機の下皿では収まり切れないので、パチンコ玉は別の遊技媒体収容箱（いわゆるドル箱）に入れられて、遊技者の脇の床上に一時保管される。獲得したパチンコ玉数が更に多くなれば、一つの収容箱の上に他の収容箱が積み重ねられる。    
【０００３】
パチンコ玉を収容した収容箱を重ねると重心が高くなって不安定になる。従って、遊技施設の従業員や客が、積み重ねた収容箱に触れると、これらを転倒させてしまうことがある。収容箱が転倒すると、パチンコ玉が散乱し、その回収には多大の労力を有することとなるばかりでなく、他の客の遊技の進行の妨げとなることもある。
【０００４】
このような事情に鑑み、下記特許文献１には、積み重ねる収容箱を結合する技術が開示されている。この特許文献１に開示されているものは、上下の収容箱の切り欠き同士を嵌合させて安定性を向上させようとするものである。
【０００５】
【特許文献１】特開平9-248380号公報
【発明の開示】
【発明が解決しようとする課題】
【０００６】
しかし、上記特許文献１に記載の収容箱は、上下の収容箱において９０度向きを変えて積み重ねたり、収容箱を左右非対称（台形状）として上下で１８０度向きを変えて積み重ねたりするものであり、９０度向きを変えるものにあっては、占有空間を大きくとり、却って人がぶつかりやすくなってしまっている。また、収容箱を左右非対称とするものにあっても、やはり周囲へのでっぱり部分が多くなって人がぶつかりやすくなってしまっている。異形であるので収容箱自体の保管、取り扱いにも不便となっている。更に、いずれのものにあっても、転倒された場合には、中のパチンコ玉等が散乱してしまうことは従来と変わりがない。
【０００７】
本発明は、遊技媒体の収容箱における上述のような問題点を解決すべくなされたもので、積み重ねた場合でも強固に結合でき、占有空間を大きく取ることがなく、しかもたとえ転倒されたとしても中のパチンコ玉等の遊技媒体が散乱することがない収容箱を提供することを目的とする。
【課題を解決するための手段】
【０００８】
上記課題を解決する第１の発明(請求項１に対応)に係る遊技媒体収容箱は、
遊技媒体を収容する遊技媒体収容箱であって、
上面に開口を有する箱本体の側面又は下面に、遊技媒体収容箱を積み重ねたときに下位に位置する遊技媒体収容箱の開口を覆う蓋部を有し、
遊技媒体収容箱を積み重ねた状態の上位の箱本体と下位の箱本体とを一体的に結合するための結合手段を備えたことを特徴とするものである。
【０００９】
上記課題を解決する第２の発明(請求項２に対応)に係る遊技媒体収容箱は、
上記第１の発明に係る遊技媒体収容箱において、
前記結合手段が、上位の遊技媒体収容箱に設けられる係合部に係合可能な係合受部と、下位の遊技媒体収容箱に設けられる係合受部に係合可能な係合部とからなること、又は、上位の遊技媒体収容箱に設けられる係合受部に係合可能な係合部と、下位の遊技媒体収容箱に設けられる係合部に係合可能な係合受部とからなることを特徴とするものである。
【００１０】
上記課題を解決する第３の発明(請求項３に対応)に係る遊技媒体収容箱は、
上記第２の発明に係る遊技媒体収容箱おいて、
前記係合部は、外力により弾性変形する弾性片を有し、
前記係合受部は、外力により弾性変形された弾性片が挿入可能で、挿入されかつ外力の解放により復元した前記弾性片の離脱を阻止する穴部であり、
上位又は下位の遊技媒体収容箱の係合受部である穴部に、前記係合部の弾性片を弾性変形させて挿入し、外力を解放することにより、前記上位又は下位の遊技媒体収容箱の係合受部と前記係合部とを一体的に結合することを特徴とするものである。
【００１１】
上記課題を解決する第４の発明(請求項４に対応)に係る遊技媒体収容箱は、
上記第１乃至第３のいずれかの発明に係る遊技媒体収容箱において、
前記蓋部が、前記箱本体の側面又は下面に、側方に張り出して設けられていることを特徴とするものである。
【００１２】
上記課題を解決する第５の発明(請求項５に対応)に係る遊技媒体収容箱は、
上記第４の発明に係る遊技媒体収容箱おいて、
前記蓋部に、前記結合手段の係合部又は係合受部が設けられていることを特徴とするものである。
【００１３】
上記課題を解決する第６の発明(請求項６に対応)に係る遊技媒体収容箱は、
上記第５の発明に係る遊技媒体収容箱おいて、
前記蓋部の下面側に前記係合部が突設されていることを特徴とするものである。
【００１４】
上記課題を解決する第７の発明(請求項７に対応)に係る遊技媒体収容箱は、
上記第１乃至６の発明のいずれかの発明に係る遊技媒体収容箱おいて、
前記結合手段が、前記箱本体と一体成形されていることを特徴とするものである。
【００１５】
上記課題を解決する第８の発明(請求項８に対応)に係る遊技媒体収容箱は、
上記第２の発明に係る遊技媒体収容箱において、
前記係合部が、前記箱本体の上部又は下部に設けられ、遊技媒体収容箱の積み重ね方向に延びる軸部と、この軸部の先端に設けられ、前記軸部に対し又は前記軸部と共に前記軸部の延びる方向に平行な軸回りに回転可能で、かつ前記軸部の径より大きいロック係合部分を有するロック部とからなり、
前記係合受部が、上位又は下位の遊技媒体収容箱における係合部の軸部とロック部が挿入される貫通穴であり、
遊技媒体収容箱を積み重ねたときに、前記貫通穴に、前記上位又は下位又の遊技媒体収容箱の係合部の軸部及びロック部が通された第１の位置からこの第１の位置以外の第２の位置に前記ロック部が回転されることにより前記ロック部が前記貫通穴の縁部に係合することを特徴とするものである。
【００１６】
上記課題を解決する第９の発明(請求項９に対応)に係る遊技媒体収容箱は、
上記第２の発明に係る遊技媒体収容箱において、
箱本体の外側面下部に、側方に弾力的に突出する係合部を設ける一方、
箱本体の内側面上部に、遊技媒体収容箱を積み重ねて下位になったときに、上位の遊技媒体収容箱の箱本体に設けられた係合部と係合する係合受部を設けたことを特徴とするものである。
【００１７】
上記課題を解決する第１０の発明(請求項１０に対応)に係る遊技媒体収容箱は、
上記第２乃至９のいずれかの発明に係る遊技媒体収容箱において、
前記係合部又は前記係合受部は、遊技場の床に設けられている床側固定手段と係合することにより前記遊技場の床と結合可能であることを特徴とするものである。
【００１８】
上記課題を解決する第１１の発明(請求項１１に対応)に係る遊技媒体収容箱は、
上記第２乃至９のいずれか発明に係る遊技媒体収容箱において、
前記係合部又は前記係合受部が、遊技媒体収容箱を運搬する台車に設けられた台車側固定手段と係合することにより前記台車と結合可能であることを特徴とするものである。
【発明の効果】
【００１９】
第１〜第１１のいずれかの発明に係る遊技媒体収容箱によれば、積み重ねた遊技媒体収容箱が転倒しても遊技媒体収容箱同士が分離せず、転倒による遊技媒体の散乱を防止できる。また、上下の遊技媒体収容箱を強固に結合できるので、ちょっとの衝撃では転倒することがない。更に、占有空間を大きく取ることがないので、遊技者等が接触する可能性も低くなる。
【００２０】
第３の発明に係る遊技媒体収容箱によれば、弾性片を弾性変形させ、復元させることにより遊技媒体収容箱同士を結合、分離できるので、遊技媒体収容箱同士の結合、分離が容易に行なえる。
【００２１】
第４の発明に係る遊技媒体収容箱によれば、蓋部が側方に張り出して設けられているので、上位の遊技媒体収容箱の蓋部が下位の遊技媒体収容箱の縁部に重なり、重なり状態が極めて安定したものとなるので、遊技媒体収容箱を積み重ねたときの安定性が向上する。
【００２２】
第５の発明に係る遊技媒体収容箱によれば、蓋部に、結合手段の係合部又は係合受部を
設けるようにしたので、上位の遊技媒体収容箱の蓋部が下位の遊技媒体収容箱の縁部に重なり、かつその状態で結合手段により蓋部と縁部が結合されるので、結合が強固なものとなる。
【００２３】
第６の発明に係る遊技媒体収容箱によれば、蓋部の下側に係合部を設けるので、遊技媒体収容箱を扱うときに係合部との干渉を抑制することができ、係合部の耐久性を向上させることができる。
【００２４】
第７の発明に係る遊技媒体収容箱によれば、上下の遊技媒体収容箱を結合する結合手段が、箱本体と一体に成形されているので、部品点数が少なくなり、製造コストも抑えることができる。また、一体であるので扱いも容易となる。
【００２５】
第８に発明に係る遊技媒体収容箱によれば、ロック部の回転という簡単な操作により上下の遊技媒体収容箱を結合、分離することができる。
【００２６】
第９の発明に係る遊技媒体収容箱によれば、箱本体の側面に結合手段がもうけられているので、遊技媒体収容箱をそのまま重ねることにより遊技媒体収容箱同士を結合することができ、扱いが簡単となる。
【００２７】
第１０の発明に係る遊技媒体収容箱によれば、床側固定手段を有する遊技場において、床側固定手段により床とも結合されるので、より転倒しにくくなる。
【００２８】
第１１の発明に係る遊技媒体収容箱によれば、台車側固定手段を有する台車に遊技媒体収容箱を載置する場合において、台車側固定手段により台車側とも固定できるようにしたので、積み重ねた遊技媒体収容箱を台車により運搬するときでも転倒を防止することができる。
【発明を実施するための最良の形態】
【００２９】
図１には、本発明に係る遊技媒体収容箱の概念を示す。
遊技媒体収容箱１は、上面に開口２を有する略直方体状の箱本体３からなり、箱本体３には、遊技媒体収容箱１を積み重ねたときに、上側(上位)の遊技媒体収容箱１が、下側(下位)の遊技媒体収容箱１の箱本体３の開口２を塞ぐ蓋部４が設けられている。蓋部４は、箱本体３の下面（底部）がそのまま蓋部４となってもよいし、下面又は側面から側方に張り出すように設けられていてもよい。図１では、蓋部４は、箱本体３の下面から側方に張り出すように設けた例を示してある。箱本体３の上部には縁部５となっている。
【００３０】
箱本体３には、遊技媒体収容箱１を重ねたときにこれらを結合するための結合手段６を構成する係合部７と係合受部８が設けられている。係合部７は、箱本体３の下部である蓋部４又は上部である縁部５に設けられ、係合受部８は、係合部７が蓋部４に設けられたときには縁部５に設けられ、係合部７が縁部５に設けられたときには蓋部４に設けられる。結合手段６の数は、遊技媒体収容箱の大きさ等に応じて適宜の数設けられる。結合手段６は多数設けることも可能であり、多数設ければ結合強度が増すと共に、部分的にかかる負荷を小さくすることができ、耐久性も向上する。また、結合手段６は遊技媒体収容箱１と一体に形成されるが、別体として形成されていてもよい。
【００３１】
一の遊技媒体収容箱１が一杯になるとその上に他の遊技媒体収容箱１が積み重ねられる。図１では、下側の遊技媒体収容箱１の縁部５に、上側の遊技媒体収容箱２の蓋部４を重ね合わせて、上下の遊技媒体収容箱１を積み重ねた様子を示す。そして、上下の遊技媒体収容箱１同士は、結合手段６により結合される。図１では、上下の遊技媒体収容箱１同士を６箇所において結合している様子を示してある。
【００３２】
積み重ねられた遊技媒体収容箱１を結合手段６で一体とすることにより、積み重ねられた遊技媒体収容箱１は転倒しにくくなると共に、転倒したとしても、上下の遊技媒体収容箱１は分離することがなく、しかも下側の遊技媒体収容箱１の開口は上側の遊技媒体収容箱１の蓋部４により塞がれているで、下側の遊技媒体収容箱１の中の、パチンコ玉、メダル等の遊技媒体が散乱することは防止される。
【００３３】
遊技媒体収容箱１は遊技場の床９に固定することもできる。その場合、床９には床側固定手段が設けられる。床側固定手段を最下位の遊技媒体収容箱１の係合部７又は係合受部８と係合することにより、最下位の遊技媒体収容箱１は床９に固定される。床側固定手段としては、床９の表面に突出することのないような構造のもの、床９に収納可能な構造のものが好ましい。
【００３４】
遊技媒体収容箱１は、台車に固定することもできる。その場合、台車には、台車側固定手段が設けられる。台車上に、積み重ねた遊技媒体収容箱１を乗せ、台車側固定手段を、最下位の遊技媒体収容箱１の係合部７又は係合受部８と係合することにより、遊技媒体収容箱１は台車上に固定される。台車による移動時における、積み重ねた遊技媒体収容箱１の転倒は防止される。
【実施例１】
【００３５】
図２は、本発明の第１の実施例に係る遊技媒体収容箱を示し、（ａ）は平面図、（ｂ）は正面図、（ｃ）は底面図、（ｄ）は側面図である。図３は、この実施例における結合手段としての結合装置を示す部分断面側面図であり、図４は、この実施例に係る遊技媒体収容箱を積み重ねた状態の側面図である。
【００３６】
遊技媒体収容箱１１は、上部に開口１２を有する容器状の箱本体１３からなる。箱本体１３は、合成樹脂などで成形される。箱本体１３は、上部から底部にかけてすぼまる形状であり、図示するように正面、側面から見ると逆台形状となっている。箱本体１３の上部には四角フレーム状をなす板状の縁部１５が形成されている。そして、縁部１５を形成する各辺部１５ａ、１５ｂ、１５ｃ、１５ｄの長さ方向の中央には、それぞれ結合装置１６の係合部として係合突起１７が上方に向けて突設されている。
縁部１５の辺部１５ａ、１５ｃには、下向きに略Ｌ字形をなす取手１５ｅ、１５ｆが形成されている。
【００３７】
箱本体１３の底面近くの側面には、前記縁部１５とほぼ同じ大きさの板状の蓋部１４が側方に張り出して形成されている。蓋部１４の各辺部１４ａ、１４ｂ、１４ｃ、１４ｄの長さ方向の中央には、それぞれ結合装置１６の係合受部としての係合穴１８が形成されている。係合穴１８は、前記係合突起１７に対応した位置に設けられている。
【００３８】
図２（ｂ）中のＡ部の拡大である図３に示すように、結合装置１６の係合突起１７は、軸部１７ａとその先端部に設けられた弾性片としての弾性爪１７ｂとからなっている。弾性爪１７ｂは、外力を加えることにより図３中に二点鎖線で示すように弾性変形させることができるようになっており、外力をかけないときの径は、係合穴１８の内径より大きくなっており、弾性変形させると係合穴１８の内径より小さくなるようになっている。
【００３９】
一の遊技媒体収容箱１１が、取得したパチンコ玉１９などの遊技媒体で一杯になると、更に取得した遊技媒体を収容するために、一の(下位の)遊技媒体収容箱１の上に他の(上位の)遊技媒体収容箱１１が積み重ねられる。この積み重ねは以下の手順でなされる。
先ず床等に置かれた遊技媒体収容箱１１の開口１２に他の遊技媒体収容箱１１の底部を入り込ませて、下位の遊技媒体収容箱１１の縁部１５の係合突起１７に、上位の遊技媒体収容箱１１の蓋部１４の係合穴１８を合致させて押し込む。この操作は、例えば遊技媒体収容箱１１の取っ手１５ｅ、１５ｆなどを掴んでなされる。
【００４０】
係合突起１７の上から係合穴１８が押し込まれることにより、図３に二点鎖線で示すように、係合突起１７の弾性爪１７ｂが、下降して来る蓋部１４の係合穴１８から外力を受けて弾性変形する。更に蓋部１４が下降して蓋部１４が下位の遊技媒体収容箱１１の縁部１５に重なり合うと、係合穴１８は弾性爪１７ｂを通過し、図３に実線で示すように、弾性爪１７ｂはその復元力により元の開いた状態に戻る。弾性爪１７ｂの径は、外力がかからない状態では係合穴１８の内径より大きいので、蓋部１４を上方に移動させるような力がかかったとしても弾性爪１７ｂが係合穴１８の縁部(蓋部１４の上面)に引っ掛かり、係合突起１７と係合穴１８との分離、つまり上下の遊技媒体収容箱１１同士の分離は阻止される。
【００４１】
係合突起１７と係合穴１８は４組あるので、上下の遊技媒体収容箱１１同士は４箇所で結合されることになる。従って、上下の遊技媒体収容箱１１同士の結合は強固なものとなり、たとえ積み重ねた遊技媒体収容箱１１が転倒したとしても、上下の遊技媒体収容箱１１は分離せず、下位の遊技媒体収容箱１１内の遊技媒体の散乱は防止される。上位の遊技媒体収容箱１１の蓋部１４が、下位の遊技媒体収容箱１１の開口１２を塞いでいるので、上下の遊技媒体収容箱１１の間からパチンコ玉１９が漏れ出すこともない。
【００４２】
下位の遊技媒体収容箱１１にはパチンコ玉１９が一杯に収容されているので、その重量は大きいものとなっている。上位の遊技媒体収容箱１１は、この重い下位の遊技媒体収容箱１１と結合されている。従って、上位の遊技媒体収容箱１１に遊技場の通路の通行人等がぶつかったとしても、上位の遊技媒体収容箱１１がずれ落ちたりすることはない。
【００４３】
なお、上位の遊技媒体収容箱１１にパチンコ玉１９が一杯に収容されていない場合でも、更にその上に空の遊技媒体収容箱１１を結合しておくことにより、たとえ転倒した場合でも上位の遊技媒体収容箱１１内のパチンコ玉１９の散乱は防止できる。
【００４４】
上下の遊技媒体収容箱１１を分離するときには、遊技場の従業員や遊技者が、係合突起１７の弾性爪１７ｂをつまんで弾性変形させ、その状態で上側の遊技媒体収容箱１１を上方に移動させれば、係合穴１８が係合爪１７ｂを通り抜け、係合突起１７と係合穴１８との分離、つまり下位の遊技媒体収容箱１１に対し上位の遊技媒体収容箱１１を分離することができる。
【実施例２】
【００４５】
図５には、第２の実施例に係る遊技媒体収容箱２１を積み重ねた状態の一部断面とした側面を示す。第１の実施例の構成部材と同じものについては同じ符号を付し、その説明は省略する。
この実施例に係る遊技媒体収容箱２１は、箱本体１２の蓋部１４の下面に下向きに、係合部としての係合突起２２を設け、縁部１５における前記係合突起２２に対応する位置に係合受部としての係合穴２３を設けてなる。係合突起２２の構成は、第１の実施例と同様図３に示した構造となっている。この実施例に係る遊技媒体収容箱２１では、結合装置２４は、係合突起２２と係合穴２３とから構成される。その他の構成は、第１の実施例における遊技媒体収容箱１１と同じである。
【００４６】
この遊技媒体収容箱２１の積み重ねは、先ず遊技場等の床に置かれた遊技媒体収容箱２１の開口１２に他の遊技媒体収容箱２１の底部を入り込ませて、下位の遊技媒体収容箱２１の縁部１５の係合穴２３に、上位の遊技媒体収容箱２１の蓋部１４の係合突起２２を合致させて押し込む。この操作は、例えば遊技媒体収容箱１１の取っ手１５ｅ、１５ｆなどを掴んでなされる。
【００４７】
係合穴２３に係合突起２２が押し込まれるこにより、係合突起２２の弾性爪１７ｂが、係合穴２３から外力を受けて弾性変形する。更に蓋部１４が下降して蓋部１４が下位の遊技媒体収容箱２１の縁部１５上に乗ると、弾性爪１７ｂが係合穴２３を通り抜け、弾性爪１７ｂはその復元力により復元する。弾性爪１７ｂの径は、外力がかからない状態では係合穴２３の内径より大きいので、蓋部１４に上方に移動させるような力がかかったとしても弾性爪１７ｂが係合穴２３の縁部(縁部１５の下面)に引っ掛かり、係合突起２２と係合穴２３との分離、つまり上下の遊技媒体収容箱２１同士の分離は阻止される。
この遊技媒体収容箱２１においては、係合突起２２が蓋部１４の下側にあり、表面に出っ張りとしては出ていないので、取り扱い等の際にも係合突起２２は干渉しにくい。
【００４８】
遊技媒体収容箱２１同士の分離は、係合突起２２の弾性爪１７ｂをつまんで弾性変形させ、その状態で上側の遊技媒体収容箱２１を持ち上げれば、係合突起２２を下側の遊技媒体収容箱２１の係合穴２３から外すことができる。すべての結合装置２４につき同様の操作をなすことにより上下の遊技媒体収容箱２１を分離することができる。
【実施例３】
【００４９】
図６〜図９には、第３の実施例に係る遊技媒体収容箱における結合手段としての結合装置を示し、図６は結合前、図７は結合後のそれぞれ断面図であり、図８は平面図、図９は斜視図である。この実施例において、結合装置部分以外の構成は、図２等に示した第１の実施例と同じである。
【００５０】
この結合装置３１は、箱本体１２の上部の縁部１５に係合部としてロック部材３２を設ける一方、箱本体１２の蓋部１４にロック係合穴３３を設けてなる。ロック部材３２は、箱本体１２の上部の縁部１５に回転可能に取り付けられた段付の軸３４と、軸３４の端部に一体的に形成された厚肉のロック部３５とからなる。軸３４は、縁部１５に遊嵌された軸部３４ａとそれと一体でかつ軸部３４ａより径の大きい軸部３４ｂとからなっている。軸部３４ｂの長さは、箱本体１２の蓋部１４の厚さとほぼ同じ寸法となっている。ロック部３５は、厚さのある半円弧状となっている。ロック部３５の長手方向の寸法は前記軸部３４ｂより大きく、その平面形状は、図８に示すように長方形となっている。
【００５１】
蓋部１４に設けられている係合穴３３は、前記ロック部３５の平面形状よりやや大きい長方形の貫通穴となっている。係合穴３３の長手方向中央部分には、軸３４の軸部３４ｂが合致する円弧面３３ａが形成されている。係合穴３３の長手方向中央部と直交する方向において、係合穴３３の縁である蓋部１４の表面には、前記ロック部３５が収まり得る幅を有する浅い溝３６が形成されている。
結合装置３１を構成するロック部材３２、係合穴３３は、他の実施例と同様、箱本体の少なくとも４箇所に設けられる。
【００５２】
このような結合装置３１により、上下の遊技媒体収容箱を積み重ねて結合するには次のような手順がとられる。遊技媒体収容箱については図２を参照する。
先ず、遊技場の床等に置かれた下位の遊技媒体収容箱の各ロック部材３２のロック部３５の長手方向の向きを、図６及び図８中実線で示すように、積み重ねられる上位の遊技媒体収容箱の係合穴３３の長手方向の向きに合わせる。
【００５３】
次に、下位の遊技媒体収容箱の縁部１５のロック部材３２に、上位の遊技媒体収容箱の蓋部１４の係合穴３３を近づけ、更に上位の遊技媒体収容箱を下降させることにより、ロック部３５及び軸３４を係合穴３４内に通す。上位の遊技媒体収容箱の蓋部１４が下位の遊技媒体収容箱の縁部１５に重なり合うと、ロック部材３２のロック部３５の下面３５ａが、蓋部１４の上面とほぼ同じ位置となる(第１の位置)。
【００５４】
この状態で、図８に示すようにロック部３５を軸３４と共に回転させると、ロック部３５の下面３５ａが係合穴３３の縁部である蓋部１４の上面に乗り上げ、９０度回転すると、図８中二点鎖線で示すように縁部１５上の浅い溝３６に収まる(第２の位置)。これにより、上下の遊技媒体収容箱の蓋部１４と縁部１５、つまり上下の遊技媒体収容箱は結合される。浅い溝３６はなくてもよいが、浅い溝３６を設けることによりロック部３５がずれなくなり、結合が確かなものとなる。
上下の遊技媒体収容箱を分離するときには、上記と逆の手順で、結合装置３１のロック部材３２と係合穴３３とを分離する。
【００５５】
図６〜９に示した実施例では、ロック部材３２を箱本体１２の上部の縁部１５に設け、係合穴３３を蓋部１４に設けているが、ロック部材３２を蓋部１４の下面に下向きに設け、縁部１５に係合穴３４を設けるようにしてもよい。ロック部３５の形状は、厚みのある半円弧状としているが、これに限らず回転して穴の縁部に係合し得る形状のものであれば、いかなる形状であってもよい。
【実施例４】
【００５６】
図１０には、第４の実施例に係る遊技媒体収容箱を示し、（ａ）は遊技媒体収容箱４１を積み重ねた状態の斜視外観を示し、（ｂ）はその結合手段である結合装置４２の断面を示す。
【００５７】
箱本体４３の基本的構造は今まで述べた他の実施例と同様である。つまり箱本体４３は、底部に向かうに従って内側に傾斜する略直方体状をなし、上部には四角フレーム状に縁部４４が設けられており、箱本体４３の底面近くの側面の周囲には、前記縁部４４とほぼ同じ大きさで板状の蓋部４５が形成されている。
【００５８】
箱本体４３の蓋部４５における箱本体４３の長手方向両端の短辺部４５ａ(図１０では一方側のみ示す)には、結合装置の係合部としてのバックル４６が回動自在に設けられている。バックル４６は、短辺部４５ａの中央部分に形成された切り欠き４７内に、軸４８により回動自在に支持されている。バックル４６の下部には、内側に湾曲したフック部４６ａが形成されている。バックル４６は、箱本体４３と同様に合成樹脂で成形されるが、その材料は金属などでもよく、限定されない。
【００５９】
一方、箱本体４３の縁部４４における箱本体４３の長手方向両端の短辺部４４ａ(図１０では一方側のみ示す)の下面には、係合受部として、バックル４６のフック部４６ａを引っ掛けるための係合凹部４９が形成されている。つまり、本実施例では、バックル４６と係合凹部４９とにより結合装置４２は構成されている。
【００６０】
この遊技媒体収容箱４１同士の積み重ねての結合は次のようになされる。
遊技場の床等に置かれた遊技媒体収容箱４１の開口に他の遊技媒体収容箱４１の底部を差し込みながら、上位の遊技媒体収容箱４１の蓋部４５を下位の遊技媒体収容箱４１の縁部４４に重ね合わせる。次いで、バックル４６を内側に回動させて、下位の遊技媒体収容箱４１の縁部短辺部４４ａに押し込み、そのフック部４６ａを、図１０（ｂ）に示すように係合凹部４９に係合させる。これにより上位の遊技媒体収容箱４１の蓋部４５と下位の遊技媒体収容箱４１の縁部４４とが結合される。つまり、上下の遊技媒体収容箱４１同士が結合される。
【００６１】
遊技媒体収容箱４１同士を分離するときには、結合装置４２のバックル４６に手をかけ、フック部４６ａを係合凹部４９から外せばよい。
【００６２】
この実施例では、箱本体４３の長手方向両端の縁部４４の短辺部４４ａ、蓋部４５の短辺部４５ａに結合装置４２が構成されるようにしたが、箱本体４３の長手方向に沿う蓋部４５の長辺部４５ｂ、縁部４４の長辺部４４ｂにも、結合装置を構成するバックル４６、係合凹部４９を設けるようにしてもよい。
【実施例５】
【００６３】
図１１には第５実施例に係る遊技媒体収容箱５１を積み重ねた状態の断面部分図を示す。
この遊技媒体収容箱５１の箱本体５２は、今までの実施例のものと異なり、箱本体５２の側面に張り出させて蓋部を設けてはいない。箱本体５１の底部そのものが蓋部５３となっている。
【００６４】
箱本体５１の側面５１ａの下部に凹部５４が形成され、凹部５４内に係合部としてのフック５５が軸５１ｂにより回動自在に支持され、凹部５４の壁面５４ａとフック５５との間に、フック５５を外側に付勢するばね５６が設けられている。よって、フック５５は、外力を加えない状態では図１１に示すように側方に突出し、外力によりばね５６の付勢力に抗して押し込めば凹部５４内に収まる。フック５５の下端部はフック部５５ａとなっており、フック部５５ａは係合面５５ｂを有しており、係合面５５ｂは、フック部５５ａの先端から水平方向に対し平行又は内側に向けて下向きに傾斜が付けられた形状となっている。フック部５５ａの外面は係合案内面５５ｃであり、傾斜が付けられている。なお、フック５５は、少なくとも箱本体５１の対向する側面５１ａに一つ以上設けられる。
【００６５】
一方、箱本体５１の内側面５１ｂの上部には、係合受部として係合切り欠き５７が形成されている。係合切り欠き５７は、フック５５のフック部５５ａの係合面５５ｂが係合する係止面５７ａを有している。係止面５７ａは水平又は内側に向けて下向きに傾斜した面となっている。係合切り欠き５７は、フック５５に対応した箇所にそれぞれ設けられている。
以上のようにこの実施例においては、フック５５と係合切り欠き５７とにより結合装置５８が構成されている。
【００６６】
この実施例に係る遊技媒体収容箱５１を積み重ねて結合するには、遊技場の床等に設置されている下位の遊技媒体収容箱５１に対し、他の上位の遊技媒体収容箱５１を、その底部が下位の遊技媒体収容箱５１の開口に嵌め込ませて下降させて行く。上位の遊技媒体収容箱５１の下降の途中で、結合装置５８におけるフック５５のフック部外面５５ｃが、下位の遊技媒体収容箱５１の上端縁部内側に当たり、フック５５は、ばね５６の付勢力に抗して凹部５４内に押し込まれて行く。そして、フック部５５ａが下位の遊技媒体収容箱５１の係合切り欠き５７に達すると、フック５５は、ばね５６の付勢力により側方に押し出され、フック部５５ａが係合切り欠き５７に入り込む。
【００６７】
この状態で、上位の遊技媒体収容箱５１に分離させようとする力がかかったとしても、フック部５５ａの係合面５５ｂが、切り欠き５７の係止面５７ａに当たることから上下の遊技媒体収容箱５１の分離は阻止される。
【００６８】
上下の遊技媒体収容箱５１を分離するには、フック５５をばね５６の付勢力に抗して凹部５４内に押し込み、上位の遊技媒体収容箱５１を引き上げればよい。この操作は、フック５５の数が二つの場合には、一人の遊技者等が二つの結合装置のフック５５を同時に押し込むことにより行われる。フック５５を押し込んだまま上位の遊技媒体収容箱５１を引き上げれば、その係合面５５ｂが切り欠き５７の係止面５７ａに当たることなく、上位の遊技媒体収容箱５１の分離ができる。
【実施例６】
【００６９】
図１２には第６実施例に係る遊技媒体収容箱６１を積み重ねた状態の断面部分図を示す。
この遊技媒体収容箱６１の箱本体６２も、第５実施例と同様に、箱本体６２の側面に張り出させて蓋部を設けてはいない。箱本体６２の底部そのものが蓋部６３となっている。
【００７０】
箱本体６２の下部側面には取付穴６４が設けられ、この取付穴６４内に、ばね６５を介在させて係合部としての係合ピン６６が設けられている。係合ピン６６は、箱本体６２の側面から突出しており、外力をかけることにより、ばね６５の付勢力に抗して取付穴６４内に押し込むことができるようになっていてる。係合ピン６６の根元部６６ａは大径部となっており、この根元部６６ａが、取付穴６４の入り口部に形成されたストッパ部６４ａに当たって、係合ピン６６が箱本体６２から脱落しないように図られている。
【００７１】
一方、箱本体６２の内側面上部には、係合受部としての係止穴６７が設けられ、この係止穴６７内には、係合解除ピン６８が挿入されている。係合解除ピン６８は、箱本体の外側面に突出している。
この実施例においては、上述のように係合ピン６６、係止穴６７等が結合装置６９を構成する。このような結合装置６９を構成する係合ピン６６又は係止穴６７等は、箱本体６２の各側面に少なくとも一つ設けられる。
【００７２】
この遊技媒体収容箱６１を積み重ねるには、係合ピン６６をばね６５の付勢力に抗して取付穴６４内に押し込み、その状態で、遊技媒体収容箱６１の蓋部（底部）６３を、床等に置かれた下位の遊技媒体収容箱６１の上部開口に差し込む。係合ピン６６が下位の遊技媒体収容箱６１の箱本体６２内に入ったら、そのまま下降を継続する。係合ピン６６が、係止穴６７の位置にくると、ばね６５の付勢力により係合ピン６６は係止穴６７に入り込む。従って、上下の遊技媒体収容箱同士６１は結合される。
【００７３】
上下の遊技媒体収容箱を分離するには、係合解除ピン６８を押して係合ピン６６を取付穴６４内に収める。この状態では、係合ピン６６は、係止穴６７にないので、上位の遊技媒体収容箱６１を上方に移動することにより上位の遊技媒体収容箱６１を引き上げることができる。
【００７４】
上記いずれの実施例に係る遊技媒体収容箱は、その箱本体の下部の係合部又は係合受部を利用して、床側にも固定できるようにすることができる。つまり、床側に、箱本体の係合部又は係合受部と結合できる床側固定装置を設けておくのである。例えば、図２〜４に示した実施例では、係合穴１８に結合される係合突起１７と同様のものを設ければよく、実施例２では、係合突起１７が係合しうる穴を設けておけばよい。他の実施例でも同様である。ただし、床に設ける場合には、それらの床側固定装置が歩行等の邪魔にならないように、床側固定装置を使用しない場合には、表面に突出しないようにしたり、収納可能にしたりなどすることが好ましい。
【００７５】
また、上記いずれの実施例に係る遊技媒体収容箱も、その箱本体の下部の係合部又は係合受部を利用して搬送台車に固定できるようにすることもできる。つまり、台車側に箱本体の係合部又は係合受部と結合できる台車側固定装置を設けておくのである。例えば、図２〜４に示した実施例では、係合穴１８に結合される係合突起１７と同様のものを設ければよく、実施例２では、係合突起１７が係合しうる穴を設けておけばよい。他の実施例でも同様である。
更に、本発明は、箱本体には係合受部のみを設け、ピン止め等の止め具を各係合受部に取り付けることによって結合させる構成としてもよい。
【産業上の利用可能性】
【００７６】
本発明は、遊技施設において、パチンコ玉やメダル等の遊技媒体の収容に用いられる。
【図面の簡単な説明】
【００７７】
【図１】本発明に係る遊技媒体収容箱の概念図である。
【図２】本発明の第１の実施例に係る遊技媒体収容箱を示し、（ａ）はその平面図、（ｂ）は正面図、（ｃ）は底面図、（ｄ）は側面図である。
【図３】図２（ｂ）中のＡ部の拡大部分断面図である。
【図４】第１の実施例に係る遊技媒体収容箱を積み重ねた状態の側面図である。
【図５】第２の実施例に係る遊技媒体収容箱を積み重ねた状態の一部断面である。
【図６】第３の実施例に係る遊技媒体収容箱における結合装置による結合前の断面図である。
【図７】第３の実施例に係る遊技媒体収容箱における結合装置による結合後の断面図である。
【図８】第３の実施例に係る遊技媒体収容箱における結合装置の平面図である。
【図９】第３の実施例に係る遊技媒体収容箱における結合装置の斜視図である。
【図１０】第４の実施例に係る遊技媒体収容箱を示し、（ａ）は遊技媒体収容箱４１を積み重ねた状態の斜視外観図であり、（ｂ）はその結合手段である結合装置４２の断面図である。
【図１１】第５実施例に係る遊技媒体収容箱を積み重ねた状態の断面部分図である。
【図１２】第６実施例に係る遊技媒体収容箱を積み重ねた状態の断面部分図である。
【符号の説明】
【００７８】
１、１１、２１、４１、５１  遊技媒体収容箱
２、１２  開口
３、１３、４３、５２  箱本体
４、１４、４５  蓋部
５、１５、４４  縁部
６  結合手段
７  係合部
８  係合受部
１６、３１、４２、５８、６９  結合装置
１７、２２  係合突起
１８、２３  係合穴
１９  パチンコ玉
３２  ロック部材
３３  係合穴
４６  バックル
４９  係合凹部
５５  フック
５７  係合切り欠き
６６  係合ピン
６７  係止穴
【図１】
2006034490.tif 000003
【図２】
2006034490.tif 000004
【図３】
2006034490.tif 000005
【図４】
2006034490.tif 000006
【図５】
2006034490.tif 000007
【図６】
2006034490.tif 000008
【図７】
2006034490.tif 000009
【図８】
2006034490.tif 000010
【図９】
2006034490.tif 000011
【図１０】
2006034490.tif 000012
【図１１】
2006034490.tif 000013
【図１２】
2006034490.tif 000014